(57)【特許請求の範囲】
【請求項１】
短手方向および長手方向に規則的に配置され、前記短手方向のピッチがｐ／３であるＲＧＢの各々を形成する複数の副画素が形成される表示素子の領域に対応する領域において、絶縁膜を介して平面視で交差するように配設された複数の行方向配線および複数の列方向配線を備え、
前記複数の行方向配線は、前記長手方向に延在する複数の第１の行方向配線と、前記短手方向に延在する複数の第２の行方向配線とを有するメッシュ状の配線を含み、
前記複数の列方向配線は、前記長手方向に延在する複数の第１の列方向配線と、前記短手方向に延在する複数の第２の列方向配線とを有するメッシュ状の配線を含み、
各前記第１の行方向配線および各前記第１の列方向配線は、ｐ／３以上の間隔で配設され、
各前記第１の行方向配線および各前記第１の列方向配線は、（（４／３）＋ｎ）×ｐ（ｎは０以上の整数）を満足する間隔で配設されることを特徴とする、タッチスクリーン。
【請求項２】
短手方向および長手方向に規則的に配置され、前記短手方向のピッチがｐ／３であるＲＧＢの各々を形成する複数の副画素が形成される表示素子の領域に対応する領域において、絶縁膜を介して平面視で交差するように配設された複数の行方向配線および複数の列方向配線を備え、
前記複数の行方向配線は、前記長手方向に延在する複数の第１の行方向配線と、前記短手方向に延在する複数の第２の行方向配線とを有するメッシュ状の配線を含み、
前記複数の列方向配線は、前記長手方向に延在する複数の第１の列方向配線と、前記短手方向に延在する複数の第２の列方向配線とを有するメッシュ状の配線を含み、
各前記第１の行方向配線および各前記第１の列方向配線は、ｐ／３以上の間隔で配設され、
複数の行方向配線および複数の列方向配線の前記表示素子とは反対側に配置された偏光板をさらに備え、
各前記行方向配線および各前記列方向配線は、前記偏光板の偏光軸に対して１０度以下の傾きを有して配設されることを特徴とする、タッチスクリーン。
【請求項３】
短手方向および長手方向に規則的に配置され、前記短手方向のピッチがｐ／３であるＲＧＢの各々を形成する複数の副画素が形成される表示素子の領域に対応する領域において、絶縁膜を介して平面視で交差するように配設された複数の行方向配線および複数の列方向配線を備え、
前記複数の行方向配線は、前記長手方向に延在する複数の第１の行方向配線と、前記短手方向に延在する複数の第２の行方向配線とを有するメッシュ状の配線を含み、
前記複数の列方向配線は、前記長手方向に延在する複数の第１の列方向配線と、前記短手方向に延在する複数の第２の列方向配線とを有するメッシュ状の配線を含み、
各前記第１の行方向配線および各前記第１の列方向配線は、ｐ／３以上の間隔で配設され、
各前記行方向配線および各前記列方向配線は、蛇行して配設され、
複数の行方向配線および複数の列方向配線の前記表示素子とは反対側に配置された偏光板をさらに備え、
各前記行方向配線は、各前記第１の行方向配線と各前記第２の行方向配線との交点を通る接線が、前記偏光板の偏光軸に対して１０度以下の傾きを有するように蛇行して配設され、
各前記列方向配線は、各前記第１の列方向配線と各前記第２の列方向配線との交点を通る接線が、前記偏光板の偏光軸に対して１０度以下の傾きを有するように蛇行して配設されることを特徴とする、タッチスクリーン。
【請求項４】
前記平面視で交差する領域において、各前記第１の行方向配線および各前記第１の列方向配線は、ｐ／３以上の間隔で交互に配設されることを特徴とする、請求項１から３のいずれか１項に記載のタッチスクリーン。
【請求項５】
各前記第１の行方向配線および各前記第１の列方向配線は、（（４／３）＋ｎ）×ｐ（ｎは０以上の整数）を満足する間隔で配設されることを特徴とする、請求項２または３に記載のタッチスクリーン。
【請求項６】
各前記行方向配線および各前記列方向配線は、各前記副画素を区画するブラックマトリックスのパターンと平面視で重なる位置に配設されることを特徴とする、請求項１から５のいずれか１項に記載のタッチスクリーン。
【請求項７】
各前記行方向配線および各前記列方向配線は、蛇行して配設されることを特徴とする、請求項１または２に記載のタッチスクリーン。
【請求項８】
複数の行方向配線および複数の列方向配線の前記表示素子とは反対側に配置された偏光板をさらに備え、
各前記行方向配線および各前記列方向配線は、前記偏光板の偏光軸に対して１０度以下の傾きを有して配設されることを特徴とする、請求項１または３に記載のタッチスクリーン。
【請求項９】
複数の行方向配線および複数の列方向配線の前記表示素子とは反対側に配置された偏光板をさらに備え、
各前記行方向配線は、各前記第１の行方向配線と各前記第２の行方向配線との交点を通る接線が、前記偏光板の偏光軸に対して１０度以下の傾きを有するように蛇行して配設され、
各前記列方向配線は、各前記第１の列方向配線と各前記第２の列方向配線との交点を通る接線が、前記偏光板の偏光軸に対して１０度以下の傾きを有するように蛇行して配設されることを特徴とする、請求項７に記載のタッチスクリーン。
【請求項１０】
短手方向および長手方向に規則的に配置され、前記短手方向のピッチがｐ１／３、前記長手方向のピッチがｐ２であり、ｔａｎ−１（ｐ１／６ｐ２）≦π／１８を満足するＲＧＢの各々を形成する複数の副画素が形成される表示素子の領域に対応する領域において、絶縁膜を介して平面視で交差するように配設された複数の行方向配線および複数の列方向配線と、
複数の行方向配線および複数の列方向配線の前記表示素子とは反対側に配置された偏光板と、
を備え、
前記複数の行方向配線は、前記長手方向に延在する複数の第１の行方向配線と、前記短手方向に延在する複数の第２の行方向配線とを有するメッシュ状の配線を含み、
前記複数の列方向配線は、前記長手方向に延在する複数の第１の列方向配線と、前記短手方向に延在する複数の第２の列方向配線とを有するメッシュ状の配線を含み、
各前記第１の行方向配線および各前記第１の列方向配線は、１．５ｎｐ１（ｎは０よりも大きい正の整数）の間隔で配設され、かつ前記偏光板の偏光軸となす角度θがｔａｎθ＝ｐ１／６ｐ２を満足して配設されることを特徴とする、タッチスクリーン。
【請求項１１】
各前記第１の行方向配線および各前記第１の列方向配線の線幅がｔである場合において、各前記第１の行方向配線および各前記第１の列方向配線は、１００ｔ以上の間隔で配設されることを特徴とする、請求項１から１０のいずれか１項に記載のタッチスクリーン。
【請求項１２】
請求項１から１１のいずれか１項に記載のタッチスクリーンと、
前記タッチスクリーンに対して指示する指示体と、前記行方向配線および前記列方向配線との間の静電容量に基づいて、前記指示体によって指示された前記タッチスクリーン上の位置を検出するタッチ位置検出回路と、
を備える、タッチパネル。
【請求項１３】
請求項１２に記載のタッチパネルと、
前記タッチパネルの前記タッチスクリーンに対して指示する側とは反対側に配置され、情報を表示可能な前記表示素子と、
を備える、表示装置。
【請求項１４】
請求項１２に記載のタッチパネルと、
前記タッチパネルの前記タッチ位置検出回路にて検出された前記位置の情報に対して予め定められた処理を電子的に行う電子処理部と、
を備える、電子機器。
【発明の詳細な説明】
【技術分野】
【０００１】
本発明は、タッチスクリーン、当該タッチスクリーンを備えるタッチパネル、当該タッチパネルを備える表示装置および電子機器に関する。
【背景技術】
【０００２】
タッチパネルは、指などの指示体によるタッチを検出して、タッチパネルにおけるタッチされた位置の位置座標を特定する装置であり、優れたユーザーインターフェース手段の１つとして注目されている。現在、抵抗膜方式や静電容量方式など種々の方式のタッチパネルが製品化されている。一般的に、タッチパネルは、タッチセンサ（使用者がタッチしたことを検出するセンサ）が内蔵されたタッチスクリーンと、当該タッチスクリーンから入力された信号に基づいてタッチされた位置の位置座標を特定する検出装置とを備えている。
【０００３】
静電容量方式のタッチパネルの１つとして、投影型静電容量（Projected Capacitive）方式のタッチパネルがある（例えば、特許文献１参照）。特許文献１のような投影型静電容量方式のタッチパネルは、タッチセンサが内蔵されたタッチスクリーンの前面側を厚さ数ｍｍ程度のガラス板などの保護板で覆った場合であってもタッチを検出することが可能である。投影型静電容量方式のタッチパネルは、保護板をタッチスクリーンの前面側に配置することができるため堅牢性に優れる。また、使用者が手袋を装着した状態でタッチした場合であっても、タッチを検出することが可能である。さらに、可動部を有さず、当該可動部の可動に起因する不具合等が生じないため長寿命である。
【０００４】
投影型静電容量方式のタッチパネルは、例えば、静電容量を検出するための検出用配線として、薄い誘電膜上に形成された第１シリーズの導体エレメントと、第１シリーズの導体エレメント上に絶縁膜を隔てて形成された第２シリーズの導体エレメントとを備えている（例えば、特許文献２参照）。各導体エレメントは、互いに電気的に接触することなく複数の交点を形成している。特許文献２のような構成において、指などの指示体と、検出用配線である第１シリーズの導体エレメントおよび第２シリーズの導体エレメントとの間にて形成される静電容量を検出回路で検出することによって、指示体がタッチした位置の位置座標が特定される。このような位置座標の検出方法は、一般的に自己容量検出方式と呼ばれる。
【０００５】
また、例えば、行方向に延設され第１電極を構成する複数の行配線と、列方向に延設され第２電極を構成する複数の列配線との間における電界変化、すなわち相互容量の変化を検出することによって、タッチされた位置の位置座標を特定する検出方式がある（例えば、特許文献３参照）。当該検出方式は、一般的に相互容量検出方式と呼ばれる。
【０００６】
上記の自己容量方式および相互容量方式の何れの場合も、行配線と列配線とによって格子状に区画された平面領域（検出セル）に対して指などの指示体でタッチされると、タッチされた検出セル（センサブロック）における検出値と、当該センサブロック近傍の検出セルにおける検出値とのバランスに基づいて、タッチされた位置の位置座標を特定する方法が一般的に採用されている。
【０００７】
最近では、タッチパネルの大型化および高速化を目的として、これまで用いられてきたＩＴＯ（Indium Tin Oxide）などの透明導電膜ではなく、低抵抗な金属材料を用いた細線状電極を用いて構成したタッチパネルが増えてきている。細線状電極を用いたタッチパネルが搭載された液晶モジュールでは、細線状電極パターンと、カラーフィルター（ＣＦ）基板に形成されたブラックマトリックス（ＢＭ）パターンとの干渉によるモアレを抑制する必要がある。例えば、従来、細線状電極をブラックマトリックスパターンと平面視で重なるように形成することによって、モアレを抑制する技術が開示されている（例えば、特許文献４参照）。
【先行技術文献】
【特許文献】
【０００８】
【特許文献１】特開２０１２−１０３７６１号公報
【特許文献２】特表平９−５１１０８６号公報
【特許文献３】特表２００３−５２６８３１号公報
【特許文献４】特開２００９−２５９０６３号公報
【発明の概要】
【発明が解決しようとする課題】
【０００９】
特許文献４では、副画素の短手方向のピッチの３倍の間隔で、細線状電極パターンをブラックパトリックスパターンと平面視で重なるように形成している。このような構成では、視野角によってはブラックマトリックスと細線状電極とがずれて見えるため、細線状電極によって透過率が低下した副画素からの透過光と、細線状電極によって透過率が低下していない副画素からの透過光とを見ることになる。従って、ＲＧＢの階調のバランスが崩れることによって色ムラが発生するという問題があった。当該色ムラを解消するためには、配線パターンを４５度方向に傾けて形成すればよい。しかし、例えばオンセルタッチパネルのように、液晶パネル（LCD：Liquid Crystal Display）の表示面側に配置された偏光板よりも内側にタッチスクリーンを装着した場合において、バックライトから液晶パネルの裏側に配置された偏光板を通って変更された光の偏光方向が、タッチスクリーン用のガラス基板上に形成された細線状電極によって予期しない方向に変化する場合がある。この場合、黒表示時に光る部分が生じて、コントラスト比を低下させる問題があった。
【００１０】
本発明は、このような問題を解決するためになされたものであり、色ムラを抑制しコントラスト比の低下を防ぐことが可能なタッチスクリーン、タッチパネル、表示装置、および電子機器を提供することを目的とする。
【課題を解決するための手段】
【００１１】
上記の課題を解決するために、本発明によるタッチスクリーンは、短手方向および長手方向に規則的に配置され、短手方向のピッチがｐ／３であるＲＧＢの各々を形成する複数の副画素が形成される表示素子の領域に対応する領域において、絶縁膜を介して平面視で交差するように配設された複数の行方向配線および複数の列方向配線を備え、複数の行方向配線は、長手方向に延在する複数の第１の行方向配線と、短手方向に延在する複数の第２の行方向配線とを有するメッシュ状の配線を含み、複数の列方向配線は、長手方向に延在する複数の第１の列方向配線と、短手方向に延在する複数の第２の列方向配線とを有するメッシュ状の配線を含み、各第１の行方向配線および各第１の列方向配線は、ｐ／３以上の間隔で配設され、各第１の行方向配線および各第１の列方向配線は、（（４／３）＋ｎ）×ｐ（ｎは０以上の整数）を満足する間隔で配設される。
【発明の効果】
【００１２】
本発明によると、タッチスクリーンは、短手方向および長手方向に規則的に配置され、短手方向のピッチがｐ／３であるＲＧＢの各々を形成する複数の副画素が形成される表示素子の領域に対応する領域において、絶縁膜を介して平面視で交差するように配設された複数の行方向配線および複数の列方向配線を備え、複数の行方向配線は、長手方向に延在する複数の第１の行方向配線と、短手方向に延在する複数の第２の行方向配線とを有するメッシュ状の配線を含み、複数の列方向配線は、長手方向に延在する複数の第１の列方向配線と、短手方向に延在する複数の第２の列方向配線とを有するメッシュ状の配線を含み、各第１の行方向配線および各第１の列方向配線は、ｐ／３以上の間隔で配設され、各第１の行方向配線および各第１の列方向配線は、（（４／３）＋ｎ）×ｐ（ｎは０以上の整数）を満足する間隔で配設されるため、色ムラを抑制しコントラスト比の低下を防ぐことが可能となる。
【図面の簡単な説明】
【００１３】
【図１】本発明の実施の形態１によるタッチスクリーンの構成の一例を示す斜視図である。
【図２】本発明の実施の形態１によるタッチスクリーンの構成の一例を示す平面図である。
【図３】本発明の実施の形態１による行方向配線と列方向配線とが平面視で重なる領域における行方向配線の拡大図である。
【図４】本発明の実施の形態１による行方向配線と列方向配線とが平面視で重なる領域における列方向配線の拡大図である。
【図５】本発明の実施の形態１による行方向配線と列方向配線とが平面視で重なる領域における行方向配線および列方向配線の拡大図である。
【図６】図５における領域Ａの一例を示す拡大図である。
【図７】図５における領域Ａの他の一例を示す拡大図である。
【図８】本発明の実施の形態２による行方向配線の形状の一例を示す図である。
【図９】本発明の実施の形態２による行方向配線と列方向配線とが平面視で重なる領域における行方向配線の拡大図である。
【図１０】本発明の実施の形態２による行方向配線と列方向配線とが平面視で重なる領域における列方向配線の拡大図である。
【図１１】本発明の実施の形態２による行方向配線と列方向配線とが平面視で重なる領域における行方向配線および列方向配線の拡大図である。
【図１２】図１１における領域Ｂの一例を示す拡大図である。
【図１３】本発明の実施の形態３によるタッチスクリーンの構成の一例を示す斜視図である。
【図１４】本発明の実施の形態３による行方向配線の形状の一例を示す図である。
【図１５】本発明の実施の形態３による行方向配線と列方向配線とが平面視で重なる領域における行方向配線の拡大図である。
【図１６】本発明の実施の形態３による行方向配線と列方向配線とが平面視で重なる領域における列方向配線の拡大図である。
【図１７】本発明の実施の形態３による行方向配線と列方向配線とが平面視で重なる領域における行方向配線および列方向配線の拡大図である。
【図１８】本発明の実施の形態４による行方向配線と列方向配線とが平面視で重なる領域における行方向配線の拡大図である。
【図１９】本発明の実施の形態４による行方向配線と列方向配線とが平面視で重なる領域における列方向配線の拡大図である。
【図２０】本発明の実施の形態４による行方向配線と列方向配線とが平面視で重なる領域における行方向配線および列方向配線の拡大図である。
【図２１】図２０における領域Ｃの一例を示す拡大図である。
【図２２】図２０における領域Ｃの他の一例を示す拡大図である。
【図２３】本発明の実施の形態５による行方向配線と列方向配線とが平面視で重なる領域における行方向配線および列方向配線の拡大図である。
【図２４】本発明の実施の形態によるタッチパネルの構成の一例を模式的に示す平面図である。
【図２５】本発明の実施の形態によるタッチスクリーンの構成の一例を示す斜視図である。
【図２６】本発明の実施の形態によるタッチスクリーンの構成の一例を示す斜視図である。
【発明を実施するための形態】
【００１４】
本発明の実施の形態について、図面に基づいて以下に説明する。
【００１５】
＜実施の形態１＞
図１は、本発明の実施の形態１によるタッチスクリーン１の構成の一例を示す斜視図である。なお、タッチスクリーン１は、投影型静電容量方式のタッチスクリーンであるものとする。
【００１６】
タッチスクリーン１の上面層として、透明なガラス材料または透明な樹脂からなる透明基板２が設けられている。透明基板２の裏面上には、上部電極３が形成されており、上部電極３を被覆するように層間絶縁膜５が形成されている。層間絶縁膜５は、シリコン窒化膜またはシリコン酸化膜等の透明な（透光性を有する）絶縁膜である。
【００１７】
層間絶縁膜５の裏面上には、下部電極６が形成されており、下部電極６を被覆するように保護膜８が形成されている。保護膜８は、層間絶縁膜５と同様、シリコン窒化膜またはシリコン酸化膜などの透明な絶縁膜である。
【００１８】
上部電極３は、ＩＴＯなどの透明配線材料、あるいはアルミニウムなどの金属配線材料からなる複数本の列方向配線４を有する。また、下部電極６は、列方向配線４と同様の材料からなる複数の行方向配線７を有する。
【００１９】
なお、図１では、列方向配線４を行方向配線７よりも上層に配置する場合を示しているが、行方向配線７を列方向配線４よりも上層に配置するようにしてもよい。
【００２０】
本実施の形態１では、列方向配線４および行方向配線７をアルミニウム系合金層とその窒化層との多層構造としている。このような構造とすることによって、配線抵抗を小さくすることができ、かつ検出可能エリアにおける光の透過率を向上させることができる。ここで、検出可能エリアとは、タッチスクリーン１における、指などの指示体でタッチされたことを検出することが可能なエリアのことをいう（詳細は後述する）。
【００２１】
使用者は、タッチスクリーン１の表面となる透明基板２に対して、指などの指示体でタッチして操作を行う。透明基板２に指示体が触れる（タッチする）と、列方向配線４と行方向配線７との間におけるクロス容量が変化する。当該クロス容量の変化を検出することによって、検出可能エリア内のどの位置がタッチされたのかを特定することが可能となる。
【００２２】
図２は、タッチスクリーン１の構成の一例を示す平面図である。
【００２３】
タッチスクリーン１における検出可能エリアは、行方向（紙面横方向）に延在する複数の行方向配線７と、行方向配線７の手前側で列方向（紙面縦方向）に延在する複数の列方向配線４とから構成されるマトリックス領域である。
【００２４】
各行方向配線７は、引き出し配線Ｒ１〜Ｒ６を介して、外部の配線と電気的に接続するための端子９に接続されている。各列方向配線４は、引き出し配線Ｃ１〜Ｃ８を介して、端子９に接続されている。また、引き出し線Ｒ６と引き出し線Ｃ８との間には、ダミー引き出し配線１０が配置されている。
【００２５】
引き出し配線Ｒ１〜Ｒ６および引き出し配線Ｃ１〜Ｃ８は、検出可能エリアの外周側に詰めて配置される。このとき、引き出し配線Ｒ１〜Ｒ６では、最も長さが短い引き出し配線Ｒ６が最も内側になるように配置され、引き出し配線Ｒ６に沿って他の引き出し配線Ｒ１〜Ｒ５が配置されている。また、引き出し配線Ｃ１〜Ｃ８では、最も長さが短い引き出し配線Ｃ４を基準とし、当該引き出し配線Ｃ４に沿って他の引き出し配線Ｃ１〜Ｃ３および引き出し配線Ｃ５〜Ｃ８が配置されている。
【００２６】
このように、引き出し配線Ｒ１〜Ｒ６および引き出し配線Ｃ１〜Ｃ８を検出可能エリアの外周側に詰めて配置することによって、タッチスクリーン１を装着する表示装置と、最外縁の引き出し配線Ｒ１および引き出し配線Ｃ１を除く引き出し配線（引き出し配線Ｒ２〜Ｒ６、引き出し配線Ｃ２〜Ｃ８）との間にて生じるフリンジ容量を抑制することができる。
【００２７】
また、引き出し配線Ｒ１〜Ｒ６および引き出し配線Ｃ１〜Ｃ８を上記の配線とすることによって、タッチスクリーン１を装着する表示装置から発生する電磁ノイズが引き出し配線に与える影響を低減することができる。
【００２８】
なお、図１，２において、説明容易のため図示していないが、行方向配線７および列方向配線４はメッシュ状の構造を有する（詳細は後述する）。
【００２９】
次に、行方向配線７および列方向配線４の構造について、図３〜５を用いて説明する。なお、図３〜６において、紙面横方向を行方向とし、紙面縦方向を列方向とする。図３〜６では、行方向配線７および列方向配線４の配線パターンを模式的に示しており、配線の太さや配線の配置間隔は、実際とは異なる。タッチスクリーン１に装着される液晶パネルの副画素の長手方向は、図３〜６の列方向と平行であるものとする。行方向配線７および列方向配線４は、各副画素（詳細は後述する）を区画するブラックマトリックスのパターン（図示せず）と平面視で重なる位置に配設されているものとする。
【００３０】
図３は、行方向配線７と列方向配線４とが平面視で重なる領域（図２参照）における行方向配線７の拡大図である。なお、図３において、破線で囲まれた領域は、行方向配線７と列方向配線４とが平面視で重なる領域を示している。
【００３１】
下部電極６を構成する行方向配線７は、導線からなるメッシュ状の配線で形成される。具体的には、行方向配線７を形成するメッシュ状の配線は、副画素の長手方向（列方向）に延在する第１の行方向配線１１と、副画素の長手方向と垂直な方向である短手方向（行方向）に延在する第２の行方向配線１２とで構成される。ここで、第１の行方向配線１１は、より具体的には列方向に対して平行な方向に延在している。
【００３２】
第１の行方向配線１１は、行方向に等間隔で配設されている。また、第２の行方向配線１２は、列方向に等間隔で配設されているが、行方向配線７と列方向配線４とが平面視で重なる領域の中央部分には配設されていない。具体的には、中央部分では、１本分の第２の行方向配線１２が配設されていない。
【００３３】
図４は、行方向配線７と列方向配線４とが平面視で重なる領域における列方向配線４の拡大図である。なお、図４において、破線で囲まれた領域は、図３の破線で囲まれた領域に対応している。
【００３４】
上部電極３を構成する列方向配線４は、導線からなるメッシュ状の配線で形成される。具体的には、列方向配線４を形成するメッシュ状の配線は、列方向に延在する第１の列方向配線１３と、行方向に延在する第２の列方向配線１４とで構成される。ここで、第１の列方向配線１３は、より具体的には列方向に対して平行な方向に延在している。
【００３５】
第１の列方向配線１３は、行方向に等間隔で配設されている。また、第２の列方向配線１４は、行方向配線７と列方向配線４とが平面視で重なる領域の中央部分に配設されている。
【００３６】
図５は、行方向配線７と列方向配線４とが平面視で重なる領域における行方向配線７および列方向配線４の拡大図であり、図３と図４とを合わせた状態を示す図である。なお、図５において、破線で囲まれた領域は、図３，４の破線で囲まれた領域に対応している。
【００３７】
第１の行方向配線１１および第１の列方向配線１３で構成されるメッシュ状の配線の行方向において、第１の行方向配線１１と第１の列方向配線１３とが交互に等間隔（間隔Ｐｘ）で配設されている。
【００３８】
また、第２の行方向配線１２および第２の列方向配線１４で構成されるメッシュ状の配線の列方向において、第２の行方向配線１２および第２の列方向配線１４は、等間隔（間隔Ｐｙ）で配設されている。
【００３９】
図６は、図５における領域Ａの一例を示す拡大図であり、タッチスクリーン１に装着される液晶パネル（表示素子）における画素パターンと、行方向配線７および列方向配線４との位置関係を示している。
【００４０】
各副画素は、液晶パネルにおいて短手方向および長手方向に規則的に配置され、短手方向のピッチがｐ／３であるＲＧＢの各々を形成している。第１の行方向配線１１および第１の列方向配線１３は、行方向の各副画素で構成される画素（ピッチはｐ）に対して、４ｐ／３の間隔で交互に配置されている。ここで、間隔４ｐ／３は、図５の間隔Ｐｘに対応している。このように配置することによって、使用者が画面を斜め方向から見たときに、第１の行方向配線１１および第１の列方向配線１３が副画素Ｒ、副画素Ｇ、副画素Ｂの各々の領域を均等に遮るため、階調のバランスが整い、色ムラを抑制することが可能となる。
【００４１】
なお、本実施の形態１では、第１の行方向配線１１、第２の行方向配線１２、第１の列方向配線１３、および第２の列方向配線１４の幅（線幅）は３μｍ、行方向の間隔Ｐｘは４００μｍ、列方向の間隔Ｐｙは３００μｍであるものとする。すなわち、第１の行方向配線１１および第１の列方向配線１３の線幅がｔである場合において、第１の行方向配線１１および第１の列方向配線１３は、１００ｔ以上の間隔で配設される。
【００４２】
また、画素のピッチが小さくなると、行方向の間隔Ｐｘも小さくなる。このような場合において、使用者が画面を斜め方向から見たときに、第１の行方向配線１１および第１の列方向配線１３が各副画素（副画素Ｒ、副画素Ｇ、副画素Ｂ）における透過光を遮ることによって透過率が低下し、縞状の明暗模様（モアレ）が視認されやすくなるという問題がある。当該問題の対策として、図７に示すように、第１の行方向配線１１および第１の列方向配線１３の配置の間隔を（（４／３）＋ｎ）×ｐ（ｎ＝１）とすることによって、図６の構成とした場合と同様の効果が得られる。
【００４３】
なお、図７において、第１の行方向配線１１、第２の行方向配線１２、第１の列方向配線１３、および第２の列方向配線１４の幅が一定であり、かつ第１の行方向配線１１、第２の行方向配線１２、第１の列方向配線１３、および第２の列方向配線１４の総面積が表示エリア全体の面積の１％以下となるように、ｎを選択することが望ましい。
【００４４】
上記の条件を満足する間隔Ｐｘで第１の行方向配線１１および第１の列方向配線１３を配設することによって、使用者が画面を斜め方向から見たときに、第１の行方向配線１１および第１の列方向配線１３が各副画素における透過光を遮ったとしても、透過率の低下は合計で１％以下となり、モアレが視認されなくなる。
【００４５】
本実施の形態１による効果を確認するために、図５に示す配線構造を有するタッチスクリーン１を液晶パネルに装着し、白表示の状態で色ムラが発生していないかを目視によって確認したが、色ムラは視認されなかった。一方、例えば特許文献４で開示されているように、画素のピッチと等間隔に配置された行方向の配線を備えたタッチスクリーンについて、上記と同様の方法で目視すると、色ムラが視認された。当該色ムラは、マゼンタ、シアン、イエローの各々に色付いた縞模様（縦縞）が行方向に広がるように視認された。これは、視野角によっては副画素Ｒにおける透過率のみが低下した領域、副画素Ｇにおける透過率のみが低下した領域、および副画素Ｂにおける透過率のみが低下した領域が分布することによって色付きが発生することによる。
【００４６】
以上のことから、本実施の形態１によれば、使用者が画面を斜め方向から見たときに、第１の行方向配線１１および第１の列方向配線１３が副画素Ｒ、副画素Ｇ、副画素Ｂの各々の領域を均等に遮るような構成としているため、階調のバランスを整え（コントラスト比の低下を抑制し）、色ムラを抑制することが可能となる。
【００４７】
また、行方向配線７および列方向配線４をメッシュ状の配線とすることによって、少ない配線面積で広い検出可能エリアを形成することが可能となる。
【００４８】
なお、行方向配線７および列方向配線４の材料、線幅、配設の間隔は、上記に限るものではない。例えば、行方向配線７および列方向配線４の材料としては、ＩＴＯまたはグラフェンなどの透明導電性材料、あるいはアルミニウム、クロム、銅、銀などの金属材料を用いてもよい。また、アルミニウム、クロム、銅、銀などの合金、あるいはこれらの合金上に窒化アルミニウムなどを形成した多層構造としてもよい。また、線幅と間隔についても、タッチスクリーンの用途などに応じて、上記と異なる値としてもよい。
【００４９】
＜実施の形態２＞
実施の形態１では、第１の行方向配線１１、第２の行方向配線１２、第１の列方向配線１３、および第２の列方向配線１４が直線形状である場合について説明した。この場合、太陽光などの強い光がタッチスクリーンの表面に照射されると、行方向および列方向への反射光が強くなり、屋外における表示視認性行が低下しやすい。
【００５０】
本発明の実施の形態２では、第１の行方向配線１１、第２の行方向配線１２、第１の列方向配線１３、および第２の列方向配線１４が曲線形状であることを特徴とする。
【００５１】
行方向配線７および列方向配線４の構造について、図８〜１２を用いて説明する。
【００５２】
図８は、本実施の形態２による第１の行方向配線１１および第２の行方向配線１２の形状の一例を示す図である。
【００５３】
第１の行方向配線１１と第２の行方向配線１２との交点を中心として、第１の行方向配線１１および第２の行方向配線１２の各々は点対称となるように円弧状（曲線形状）に配設されている。すなわち、第１の行方向配線１１および第２の行方向配線１２は、蛇行して配設されている。また、各円弧（図８では４つ）は、中心線ＬｘまたはＬｙに沿って円周角９０度であり、全体で（４つの円弧で）３６０度となっている。
【００５４】
なお、上記では、第１の行方向配線１１および第２の行方向配線１２について説明したが、第１の列方向配線１３および第２の列方向配線１４についても同様である。
【００５５】
図９は、行方向配線７と列方向配線４とが平面視で重なる領域（図２参照）における行方向配線７の拡大図である。なお、図９において、破線で囲まれた領域は、行方向配線７と列方向配線４とが平面視で重なる領域を示している。
【００５６】
第１の行方向配線１１は、曲線形状に形成され（図８の形状が連続して形成され）、行方向に等間隔で配設されている。ここで、第１の行方向配線１１は、実質的に列方向に延在している。また、第２の行方向配線１２は、曲線形状に形成され（図８の形状が連続して形成され）、列方向に等間隔で配設されているが、行方向配線７と列方向配線４とが平面視で重なる領域の中央部分には配設されていない。具体的には、中央部分では、１本分の第２の行方向配線１２が配設されていない。
【００５７】
図１０は、行方向配線７と列方向配線４とが平面視で重なる領域における列方向配線４の拡大図である。なお、図１０において、破線で囲まれた領域は、図９の破線で囲まれた領域に対応している。
【００５８】
第１の列方向配線１３は、曲線形状に形成され（図８の形状が連続して形成され）、行方向に等間隔で配設されている。ここで、第１の列方向配線１３は、実質的に列方向に延在している。また、第２の列方向配線１４は、曲線形状に形成され（図８の形状が連続して形成され）、行方向配線７と列方向配線４とが平面視で重なる領域の中央部分に配設されている。
【００５９】
図１１は、行方向配線７と列方向配線４とが平面視で重なる領域における行方向配線７および列方向配線４の拡大図であり、図９と図１０とを合わせた状態を示す図である。なお、図１１において、破線で囲まれた領域は、図９，１０の破線で囲まれた領域に対応している。
【００６０】
第１の行方向配線１１および第１の列方向配線１３で構成されるメッシュ状の配線の行方向において、第１の行方向配線１１と第１の列方向配線１３とが交互に等間隔（間隔Ｐｘ）で配設されている。ここで、間隔Ｐｘは、隣接する各配線（第１の行方向配線１１、第１の列方向配線１３）における中心線Ｌｙ（図８参照）の間隔である。
【００６１】
また、第２の行方向配線１２および第２の列方向配線１４で構成されるメッシュ状の配線の列方向において、第２の行方向配線１２および第２の列方向配線１４は、等間隔（間隔Ｐｙ）で配設されている。ここで、間隔Ｐｙは、隣接する配線（第２の行方向配線１２、第２の列方向配線１４）における中心線Ｌｘ（図８参照）の間隔である。
【００６２】
図１２は、図１１における領域Ｂの一例を示す拡大図であり、タッチスクリーン１に装着される液晶パネルにおける画素パターンと、行方向配線７および列方向配線４との位置関係を示している。
【００６３】
行方向にＲＧＢの各副画素（ピッチはｐ／３）で構成される画素（ピッチはｐ）に対して、第１の行方向配線１１および第１の列方向配線１３は、４ｐ／３の間隔で配置されている。ここで、間隔４ｐ／３は、図１１の間隔Ｐｘに対応している。
【００６４】
なお、本実施の形態２では、第１の行方向配線１１、第２の行方向配線１２、第１の列方向配線１３、および第２の列方向配線１４の幅（線幅）は３μｍ、行方向の間隔Ｐｘは４００μｍ、列方向の間隔Ｐｙは３００μｍであるものとする。また、画素のピッチｐは３００μｍであるものとする。
【００６５】
また、画素のピッチが小さくなると、行方向の間隔Ｐｘも小さくなるが、実施の形態１と同様に、第１の行方向配線１１および第１の列方向配線１３の配置の間隔を（４／３＋ｎ）×ｐ（ｎ＝１）とすることによって、図１１の構成とした場合と同様の効果が得られる。このとき、第１の行方向配線１１、第２の行方向配線１２、第１の列方向配線１３、および第２の列方向配線１４の幅が一定であり、かつ第１の行方向配線１１、第２の行方向配線１２、第１の列方向配線１３、および第２の列方向配線１４の総面積が表示エリア全体の面積の１％以下となるように、ｎを選択することが望ましい。
【００６６】
本実施の形態２による効果を確認するために、照度８００００ｌｕｘの直射日光下において、本実施の形態２によるタッチスクリーン（図１１参照）と、実施の形態１によるタッチスクリーン（図５参照）とを目視したところ、本実施の形態２によるタッチスクリーンの方が、配線の反射光によるギラツキが軽減されていた。これは、配線の形状を曲線形状とすることによって、反射光が様々な方向に反射されるためである。また、実施の形態１と同様の方法で、色ムラが発生していないかを目視によって確認したが、色ムラは視認されなかった。
【００６７】
以上のことから、本実施の形態２によれば、各配線（第１の行方向配線１１、第２の行方向配線１２、第１の列方向配線１３、第２の列方向配線１４）の形状を曲線形状としているため、階調のバランスを整え（コントラスト比の低下を抑制し）、色ムラを抑制することが可能となる。また、屋外における視認性を向上することが可能となる。
【００６８】
また、行方向配線７および列方向配線４をメッシュ状の配線とすることによって、少ない配線面積で広い検出可能エリアを形成することが可能となる。
【００６９】
なお、行方向配線７および列方向配線４の材料、線幅、配設の間隔は、上記に限るものではない。例えば、行方向配線７および列方向配線４の材料としては、ＩＴＯまたはグラフェンなどの透明導電性材料、あるいはアルミニウム、クロム、銅、銀などの金属材料を用いてもよい。また、アルミニウム、クロム、銅、銀などの合金、あるいはこれらの合金上に窒化アルミニウムなどを形成した多層構造としてもよい。また、線幅と間隔についても、タッチスクリーンの用途などに応じて、上記と異なる値としてもよい。
【００７０】
＜実施の形態３＞
図１３は、本発明の実施の形態３によるタッチスクリーン１５の構成の一例を示す斜視図である。なお、タッチスクリーン１５は、投影型静電容量方式のタッチスクリーンであるものとする。
【００７１】
タッチスクリーン１５の最下面層として、透明なガラス材料または透明な樹脂からなる透明基板１６が設けられている。透明基板１６上には、下部電極６が形成されており、下部電極６を被覆するように層間絶縁膜１７が形成されている。層間絶縁膜１７は、シリコン窒化膜またはシリコン酸化膜などの透明な（透光性を有する）絶縁膜である。
【００７２】
層間絶縁膜１７上には、上部電極３が形成されており、上部電極３を被覆するように保護膜１８が形成されている。保護膜１８は、層間絶縁膜１７と同様、シリコン窒化膜またはシリコン酸化膜などの透明な絶縁膜である。
【００７３】
保護膜１８上には、タッチスクリーン１５を装着する液晶ディスプレイ用の偏光板１９が設けられている（貼り付けられている）。すなわち、偏光板１９は、行方向配線７および列方向配線４の液晶ディスプレイ（表示素子）とは反対側に配置されている。また、偏光板１９上には、タッチスクリーン１５を保護するために、透明なガラス材料または透明な樹脂からなる透明基板２０が設けられている（粘着されている）。
【００７４】
下部電極６は、ＩＴＯなどの透明配線材料、あるいはアルミニウムや銅などの金属配線材料からなる複数本の行方向配線７を有する。また、上部電極３は、行方向配線７と同様、ＩＴＯなどの透明配線材料、あるいはアルミニウムや銅などの金属配線材料からなる複数本の列方向配線４を有する。
【００７５】
本実施の形態３では、列方向配線４および行方向配線７を、アルミニウム系合金層とその窒化層との多層構造としているため、配線抵抗を小さくすることができ、かつ検出可能エリアにおける光の透過率を向上させることができる。
【００７６】
なお、本実施の形態３では、列方向配線４を行方向配線７よりも上層に配置しているが、行方向配線７を列方向配線４よりも上層に配置するようにしてもよい。あるいは、列方向配線４および行方向配線７を同一の層に配置し、列方向配線４と行方向配線７とが平面視で重なる（交差する）部分にのみ層間絶縁膜１７を配置して電気的に分離するようにしてもよい。
【００７７】
列方向配線４および行方向配線７をアルミニウム系合金層とその窒化層との多層構造としたが、これに限るものではない。例えば、列方向配線４をアルミニウム系合金層とその窒化層との多層構造とし、行方向配線７をＩＴＯなどの透明配線材料で構成してもよい。
【００７８】
使用者は、タッチスクリーン１５の表面となる透明基板２０に対して、指などの指示体でタッチして操作を行う。透明基板２０に指示体が触れる（タッチする）と、指示体と列方向配線４または行方向配線７との間にて容量結合（タッチ容量）が発生する。自己容量方式の場合は、タッチ容量を検出することによって、検出可能エリア内のどの位置がタッチされたのかを特定することが可能となる。
【００７９】
図１３に示すタッチスクリーン１５の平面図は、図２と同様であるため、ここでは説明を省略する。
【００８０】
次に、行方向配線７および列方向配線４の構造について、図１４〜１７を用いて説明する。
【００８１】
図１４は、本実施の形態３による第１の行方向配線１１および第２の行方向配線１２の形状の一例を示す図である。なお、偏光板１９の偏光軸は、列方向（図１４の軸Ｌｙ）と平行であるものとする。
【００８２】
第１の行方向配線１１および第２の行方向配線１２は、当該第１の行方向配線１１と第２の行方向配線１２との交点を通る接線が、偏光板１９の偏光軸に対して１０度以下の傾きを有するように円弧状（曲線形状）に配設されている。すなわち、第１の行方向配線１１および第２の行方向配線１２は、蛇行して配設されている。また、各円弧（図１４では４つ）は、中心線ＬｘまたはＬｙに沿って円周角２０度である。
【００８３】
なお、上記では、第１の行方向配線１１および第２の行方向配線１２について説明したが、第１の列方向配線１３および第２の列方向配線１４についても同様である。
【００８４】
図１５は、行方向配線７と列方向配線４とが平面視で重なる領域（図２参照）における行方向配線７の拡大図である。なお、図１５において、破線で囲まれた領域は、行方向配線７と列方向配線４とが平面視で重なる領域を示している。
【００８５】
第１の行方向配線１１は、曲線形状に形成され（図１４の形状が連続して形成され）、行方向に等間隔で配設されている。ここで、第１の行方向配線１１は、実質的に列方向に延在している。また、第２の行方向配線１２は、曲線形状に形成され（図１４の形状が連続して形成され）、列方向に等間隔で配設されているが、行方向配線７と列方向配線４とが平面視で重なる領域の中央部分には配設されていない。具体的には、中央部分では、１本分の第２の行方向配線１２が配設されていない。
【００８６】
図１６は、行方向配線７と列方向配線４とが平面視で重なる領域における列方向配線４の拡大図である。なお、図１６において、破線で囲まれた領域は、図１５の破線で囲まれた領域に対応している。
【００８７】
第１の列方向配線１３は、曲線形状に形成され（図１４の形状が連続して形成され）、行方向に等間隔で配設されている。ここで、第１の行方向配線１３は、実質的に列方向に延在している。また、第２の列方向配線１４は、曲線形状に形成され（図１４の形状が連続して形成され）、行方向配線７と列方向配線４とが平面視で重なる領域の中央部分に配設されている。
【００８８】
図１７は、行方向配線７と列方向配線４とが平面視で重なる領域における行方向配線７および列方向配線４の拡大図であり、図１５と図１６とを合わせた状態を示す図である。なお、図１７において、破線で囲まれた領域は、図１５，１６の破線で囲まれた領域に対応している。
【００８９】
第１の行方向配線１１および第１の列方向配線１３で構成されるメッシュ状の配線の行方向において、第１の行方向配線１１と第１の列方向配線１３とが交互に等間隔（間隔Ｐｘ）で配設されている。ここで、間隔Ｐｘは、隣接する配線（第１の行方向配線１１、第１の列方向配線１３）における中心線Ｌｙ（図１４参照）の間隔である。
【００９０】
また、第２の行方向配線１２および第２の列方向配線１４で構成されるメッシュ状の配線の列方向において、第２の行方向配線１２および第２の列方向配線１４は、等間隔（間隔Ｐｙ）で配設されている。ここで、間隔Ｐｙは、隣接する配線（第２の行方向配線１２、第２の列方向配線１４）における中心線Ｌｘ（図１４参照）の間隔である。
【００９１】
間隔Ｐｘは、実施の形態１，２と同様、画素のピッチに対して４／３倍とすることによって色ムラを抑制することができる。
【００９２】
なお、本実施の形態３では、第１の行方向配線１１、第２の行方向配線１２、第１の列方向配線１３、および第２の列方向配線１４の幅（線幅）は３μｍ、行方向の間隔Ｐｘは４００μｍ、列方向の間隔Ｐｙは３００μｍであるものとする。また、画素のピッチｐは３００μｍであるものとする。
【００９３】
また、画素のピッチが小さくなると、行方向の間隔Ｐｘも小さくなるが、実施の形態１，２と同様に、第１の行方向配線１１および第１の列方向配線１３の配置の間隔を（４／３＋ｎ）×ｐ（ｎ＝１）とすることによって、図１７の構成とした場合と同様の効果が得られる。このとき、第１の行方向配線１１、第２の行方向配線１２、第１の列方向配線１３、および第２の列方向配線１４の幅が一定であり、かつ第１の行方向配線１１、第２の行方向配線１２、第１の列方向配線１３、および第２の列方向配線１４の総面積が表示エリア全体の面積の１％以下となるように、ｎを選択することが望ましい。
【００９４】
本実施の形態２による効果を確認するために、照度８００００ｌｕｘの直射日光下において、本実施の形態３によるタッチスクリーン（図１７参照）と、実施の形態１によるタッチスクリーン（図５参照）とを目視したところ、本実施の形態３によるタッチスクリーンの方が、配線の反射光によるギラツキが軽減されていた。これは、配線の形状を曲線形状とすることによって、反射光が様々な方向に反射されるためである。また、実施の形態１と同様の方法で、色ムラが発生していないかを目視によって確認したが、色ムラは視認されなかった。
【００９５】
また、本実施の形態３によるタッチスクリーンを液晶パネル上に装着してコントラスト比を測定したところ、本実施の形態３によるタッチスクリーンを液晶パネル上に装着した場合のコントラスト比は、タッチスクリーンを装着しない液晶パネルのコントラスト比とほぼ同じであった。一方、実施の形態２によるタッチスクリーン（図１１参照）を液晶パネルに装着した場合のコントラスト比は、タッチスクリーンを装着しない液晶パネルのコントラスト比に対して２割程度低下した。実施の形態２によるタッチスクリーンは、偏光軸に対して１０度以上の傾きを有する曲線形状の配線であるため、液晶ディスプレイのバックライト側の偏光板による光の偏光軸が変化し、黒表示時に光が漏れてしまう。
【００９６】
以上のことから、本実施の形態３によれば、偏光板の偏光軸に対して１０度以下の傾きを有するように行方向配線７および列方向配線４を配設しているため、液晶ディスプレイが黒を表示したときに光る部分をなくすことができる。従って、色ムラの防止、屋外における視認性の向上に加えて、偏光板１９がタッチスクリーン１５よりも液晶ディスプレイの表示面側に配置されたとしても、コントラスト比を低下させないようにすることが可能となる。
【００９７】
また、行方向配線７および列方向配線４をメッシュ状の配線とすることによって、少ない配線面積で広い検出可能エリアを形成することが可能となる。
【００９８】
なお、行方向配線７および列方向配線４の材料、線幅、配設の間隔は、上記に限るものではない。例えば、行方向配線７および列方向配線４の材料としては、ＩＴＯまたはグラフェンなどの透明導電性材料、あるいはアルミニウム、クロム、銅、銀などの金属材料を用いてもよい。また、アルミニウム、クロム、銅、銀などの合金、あるいはこれらの合金上に窒化アルミニウムなどを形成した多層構造としてもよい。また、線幅と間隔についても、タッチスクリーンの用途などに応じて、上記と異なる値としてもよい。
【００９９】
＜実施の形態４＞
実施の形態１では、第１の行方向配線１１および第１の列方向配線１３を副画素の長手方向に対して平行な方向に配設する場合について説明した。実施の形態１において、ブラックマトリックスパターンを第１の行方向配線１１および第１の列方向配線１３に対して平行な方向に配置すると、第１の行方向配線１１および第１の列方向配線１３とブラックマトリックスパターンとが平面視で完全に重なるため、使用者が斜め方向から画面を見たときに、配線が副画素の透過光を遮る領域と、配線が副画素の透過光を完全に遮らない領域とが分布するため、縞状の明暗模様が発生しやすくなる。
【０１００】
本発明の実施の形態４では、第１の行方向配線１１および第１の列方向配線１３を、偏光板の偏光軸に対して１０度以下の傾きを有して配設することを特徴とする。その他の構成は、実施の形態３と同様であるため、ここでは説明を省略する。
【０１０１】
行方向配線７および列方向配線４の構造について、図１８〜図２２を用いて説明する。なお、図１８〜２２において、紙面横方向を行方向とし、紙面縦方向を列方向とする。また、図１８〜２２では、行方向配線７および列方向配線４の配線パターンを模式的に示しており、配線の太さや配線の配置間隔は、実際とは異なる。また、タッチスクリーンに装着される液晶パネルの副画素の長手方向は、図１８〜２２の列方向と平行であるものとする。
【０１０２】
図１８は、行方向配線７と列方向配線４とが平面視で重なる領域（図２参照）における行方向配線７の拡大図である。なお、図１８において、破線で囲まれた領域は、行方向配線７と列方向配線４とが平面視で重なる領域（図２参照）を示している。
【０１０３】
第１の行方向配線１１は、偏光板１９の偏光軸２１に対して１０度以下の角度θの傾きを有し、行方向に等間隔で配設されている。ここで、第１の行方向配線１１は、実質的に列方向に延在している。また、第２の行方向配線１２は、列方向に等間隔で配設されているが、行方向配線７と列方向配線４とが平面視で重なる領域の中央部分には配設されていない。具体的には、中央部分では、１本分の第２の行方向配線１２が配設されていない。
【０１０４】
図１９は、行方向配線７と列方向配線４とが平面視で重なる領域における列方向配線４の拡大図である。なお、図４において、破線で囲まれた領域は、図１８の破線で囲まれた領域に対応している。
【０１０５】
第１の列方向配線１３は、偏光板１９の偏光軸２１に対して１０度以下の角度θの傾きを有し、行方向に等間隔で配設されている。ここで、第１の列方向配線１３は、実質的に列方向に延在している。また、第２の列方向配線１４は、行方向配線７と列方向配線４とが平面視で重なる領域の中央部分に配設されている。
【０１０６】
図２０は、行方向配線７と列方向配線４とが平面視で重なる領域における行方向配線７および列方向配線４の拡大図であり、図１８と図１９とを合わせた状態を示す図である。なお、図２０において、破線で囲まれた領域は、図１８，１９の破線で囲まれた領域に対応している。
【０１０７】
第１の行方向配線１１および第１の列方向配線１３で構成されるメッシュ状の配線の行方向において、第１の行方向配線１１と第１の列方向配線１３とが交互に等間隔（間隔Ｐｘ）で配設されている。
【０１０８】
また、第２の行方向配線１２および第２の列方向配線１４で構成されるメッシュ状の配線の列方向において、第２の行方向配線１２および第２の列方向配線１４は、等間隔（間隔Ｐｙ）で配設されている。
【０１０９】
図２１は、図２０における領域Ｃの一例を示す拡大図であり、タッチスクリーン１５に装着される液晶パネルにおける画素パターンと、行方向配線７および列方向配線４との位置関係を示している。
【０１１０】
行方向にＲＧＢの各副画素（行方向のピッチはｐ１／３）で構成される画素（行方向のピッチはｐ１、列方向のピッチはｐ２）に対して、第１の行方向配線１１および第１の列方向配線１３は、１．５ｐ１の間隔で配置されている。ここで、間隔１．５ｐ１は、図２０の間隔Ｐｘに対応している。また、第１の行方向配線１１および第１の列方向配線１３と偏光軸２１とがなす角度をθとすると、以下の式（１），（２）を満たす。
Ｐｘ＝ｔａｎθ＝ｐ１／６ｐ２  ・・・（１）
ｔａｎ−１（ｐ１／６ｐ２）≦π／１８  ・・・（２）
【０１１１】
上記のように配置することによって、使用者が画面を斜め方向から見たときに、第１の行方向配線１１および第１の列方向配線１３が副画素Ｒ、副画素Ｇ、副画素Ｂの各々の領域を均等に遮るため、階調のバランスが整い、色ムラを抑制することが可能となる。
【０１１２】
なお、本実施の形態１では、第１の行方向配線１１、第２の行方向配線１２、第１の列方向配線１３、および第２の列方向配線１４の幅（線幅）は３μｍ、行方向の間隔Ｐｘは４００μｍ、列方向の間隔Ｐｙは３００μｍであるものとする。また、画素のピッチｐ１は３００μｍであるものとする。第１の行方向配線１１および第１の列方向配線１３の間隔は、１．５ｎｐ１（ｎは０よりも大きい正の整数）であればよい。
【０１１３】
本実施の形態４による効果を確認するために、図２１に示す配線構造を有するタッチスクリーン１を液晶パネルに装着し、白表示の状態で色ムラが発生していないかを目視によって確認したが、色ムラは視認されなかった。
【０１１４】
また、本実施の形態４によるタッチスクリーンを液晶パネル上に装着してコントラスト比を測定したところ、本実施の形態４によるタッチスクリーンを液晶パネル上に装着した場合のコントラスト比は、タッチスクリーンを装着していない液晶パネルのコントラスト比とほぼ同じであった。一方、実施の形態２によるタッチスクリーン（図１１参照）を液晶パネルに装着した場合のコントラスト比は、タッチスクリーンを装着していない液晶パネルのコントラスト比に対して２割程度低下した。
【０１１５】
また、本実施の形態４によるタッチスクリーンと、実施の形態１によるタッチスクリーンとの各々を、列方向および行方向に平行に形成されたブラックマトリックスパターンを有する液晶パネル上に形成して表示を目視で確認したところ、実施の形態１によるタッチパネルスクリーンでは縞状の明暗模様が視認されたが、本実施の形態４によるタッチスクリーンでは縞状の明暗模様が視認されなかった。
【０１１６】
以上のことから、本実施の形態４によれば、第１の行方向配線１１および第１の列方向配線１３を偏光板の偏光軸２１に対して１０度以下の傾きを有して配設しているため、階調のバランスを整え（コントラスト比の低下を抑制し）、色ムラを抑制し、縞状の明暗模様が視認されることを防ぐことが可能となる。
【０１１７】
また、行方向配線７および列方向配線４をメッシュ状の配線とすることによって、少ない配線面積で広い検出可能エリアを形成することが可能となる。
【０１１８】
なお、行方向配線７および列方向配線４の材料、線幅、配設の間隔は、上記に限るものではない。例えば、行方向配線７および列方向配線４の材料としては、ＩＴＯまたはグラフェンなどの透明導電性材料、あるいはアルミニウム、クロム、銅、銀などの金属材料を用いてもよい。また、アルミニウム、クロム、銅、銀などの合金、あるいはこれらの合金上に窒化アルミニウムなどを形成した多層構造としてもよい。また、線幅と間隔についても、タッチスクリーンの用途などに応じて、上記と異なる値としてもよい。
【０１１９】
＜実施の形態５＞
実施の形態１では、行方向にＲＧＢの各副画素が配置された構造を有する液晶パネルをタッチスクリーンに装着する場合について説明した。本発明の実施の形態５では、列方向にＲＧＢの各副画素が配置されたトリプルゲート構造を有する液晶パネルをタッチスクリーンに装着することを特徴とする。その他の構成は、実施の形態１と同様であるため、ここでは説明を省略する。
【０１２０】
図２３は、本実施の形態５による行方向配線７と列方向配線４とが平面視で重なる領域における行方向配線７および列方向配線４の拡大図である。
【０１２１】
実施の形態１（図６参照）と比較して、図２３における行方向の間隔は、図６における列方向の間隔に対応している。また、図２３における列方向の間隔は、図６における行方向の間隔に対応している。すなわち、タッチスクリーンに装着される液晶パネルの副画素の長手方向は、図２３における列方向と平行である。その他（各ピッチの関係など）については、実施の形態１と同様である。
【０１２２】
以上のことから、本実施の形態５によれば、トリプルゲート構造を有する液晶パネルをタッチスクリーンに装着する場合であっても、実施の形態１と同様の効果が得られる。
【０１２３】
なお、上記では、実施の形態１にトリプルゲート構造を有する液晶パネルを採用する場合について説明したが、実施の形態２〜４にトリプルゲート構造を有する液晶パネルを採用してもよい。この場合、各実施の形態２〜４と同様の効果が得られる。
【０１２４】
＜実施の形態６＞
図２４は、本発明の実施の形態６によるタッチパネル２２の構成の一例を模式的に示す平面図である。
【０１２５】
タッチパネル２２は、図１に示す実施の形態１によるタッチスクリーン１と、フレキシブルプリント基板２３と、コントローラ基板２４とを備えている。
【０１２６】
タッチスクリーン１の端子９には、異方性導電フィルムなどを用いることによって実装された端子（端子９に対応する端子）を有するフレキシブルプリント基板２３が接続されている。タッチスクリーン１の列方向配線４および行方向配線７と、コントローラ基板２４とをフレキシブルプリント基板２３を介して電気的に接続することによって、タッチスクリーン１はタッチパネル２２の主要構成要素として機能する。
【０１２７】
コントローラ基板２４には、検出処理回路２５（タッチ位置検出回路）が搭載されている。検出処理回路２５は、信号電圧の印加によって、指示体と列方向配線４または行方向配線７との間にて生じる静電容量からなるタッチ容量を検出し、当該検出結果に基づいて、タッチスクリーン１における指示体のタッチ位置の算出処理を行う。すなわち、検出処理回路２５は、タッチスクリーン１に対して指示する指示体と、行方向配線７および列方向配線４との間の静電容量に基づいて、指示体によって指示されたタッチスクリーン１上の位置を検出する。
【０１２８】
検出処理回路２５は、投影型静電容量方式の検出ロジックを採用することができる。また、コントローラ基板２４は、検出処理回路２５にて算出されたタッチ位置を、外部の処理装置に出力するための外部接続端子２６を備えている。
【０１２９】
以上のことから、本実施の形態６によれば、タッチパネル２２が実施の形態１によるタッチスクリーン１（図１参照）を備えることによって、タッチパネル２２を液晶ディスプレイに装着した場合において、コントラストの低下を抑制したタッチパネル２２を得ることができる。
【０１３０】
なお、上記では、実施の形態１によるタッチスクリーンを用いる場合について説明したが、これに限るものではない。例えば、実施の形態２〜５によるタッチスクリーンを用いる場合であっても同様の効果が得られる。
【０１３１】
また、検出処理回路２５は、コントローラ基板２４への実装に限らず、タッチスクリーン１の透明基板２上に実装するようにしてもよい。
【０１３２】
＜実施の形態７＞
本発明の実施の形態７による表示装置は、実施の形態６によるタッチパネル２２（図２４参照）と、情報を表示可能な液晶表示素子（ＬＣＤ、図示せず）とを備えることを特徴としている。
【０１３３】
タッチパネル２２は、液晶表示素子の表示画面よりも使用者側に配置される。換言すれば、液晶表示素子は、タッチパネル２２のタッチスクリーンに対して指示する側とは反対側に配置される。このような構成とすることによって、使用者が指示したタッチ位置を検出する機能を有するタッチパネル付きの表示装置とすることができる。
【０１３４】
以上のことから、本実施の形態７によれば、視認性に優れた投影型静電容量方式のタッチパネル付きの表示装置を得ることができる。
【０１３５】
＜実施の形態８＞
本発明の実施の形態８による電子機器は、実施の形態６によるタッチパネル２２（図２４参照）と、電子素子である信号処理素子（電子処理部、図示せず）とを備えることを特徴としている。
【０１３６】
信号処理素子は、タッチパネル２２の外部接続端子２６から出力された信号を入力し、デジタル信号として出力する。すなわち、信号処理素子は、タッチパネル２２の検出処理回路２５にて検出されたタッチ位置の情報に対して予め定められた処理を電子的に行う。このように、信号処理素子をタッチパネル２２に接続する構成とすることによって、タッチパネル２２の検出処理回路２５にて検出されたタッチ位置の情報をコンピュータなどの外部信号処理装置に出力する、デジタイザなどのタッチ位置検出機能付き電子機器とすることができる。
【０１３７】
なお、信号処理素子は、タッチパネル２２のコントローラ基板２４に内蔵（搭載）されてもよい。この場合、信号処理素子が、ＵＳＢ（Universal Serial Bus）のようなバス規格を満たすような出力機能を備えることによって、汎用性の高いタッチ位置検出機能付き電子機器を実現することができる。
【０１３８】
以上のことから、本実施の形態８によれば、視認性の良い投影型静電容量方式のタッチ位置検出機能付きの電子機器を得ることができる。
【０１３９】
なお、実施の形態１〜５では、ブラックマトリックスパターンが列方向および行方向に対して平行なパターンで形成される場合を一例として説明したが、ＩＰＳ（In Plane Switching）方式などでしばしば採用されている、くの字形状のブラックマトリックスパターンであってもよい。
【０１４０】
図１３において、透明基板１６は、液晶ディスプレイのカラーフィルター基板であってもよい。図２５は、タッチスクリーン２７の構成を示す斜視図である。タッチスクリーン２７は、図１３の透明基板１６に代えてカラーフィルター基板２８を設けることを特徴としている。その他の構成は、図１３と同様である。図２５に示すような構成とすることによって、タッチスクリーンの透明基板と液晶ディスプレイのカラーフィルター基板とを共用することができるため、液晶ディスプレイにタッチスクリーン２７を装着したときに全体的な薄型化を実現することができる。
【０１４１】
また、図２６に示すタッチスクリーン２９のように、図１に示すタッチスクリーン１の透明基板２の表面側に偏光板３０を設け（貼り付け）、偏光板３０側を表示面側として液晶ディスプレイに装着してもよい。この場合、透明基板２がタッチスクリーン２９を保護する役割を果たす。
【０１４２】
実施の形態１では、図１に示すタッチスクリーンの構造を採用する場合について説明したが、これに限るものではなく、図１３，２４，２５に示すタッチスクリーンの構造を採用した場合であっても同様の効果が得られる。
【０１４３】
なお、本発明は、その発明の範囲内において、各実施の形態を自由に組み合わせたり、各実施の形態を適宜、変形、省略することが可能である。
【符号の説明】
【０１４４】
１  タッチスクリーン、２  透明基板、３  上部電極、４  列方向配線、５  層間絶縁膜、６  下部電極、７  行方向配線、８  保護膜、９  端子、１０  ダミー引き出し配線、１１  第１の行方向配線、１２  第２の行方向配線、１３  第１の列方向配線、１４  第２の列方向配線、１５  タッチスクリーン、１６  透明基板、１７  層間絶縁膜、１８  保護膜、１９  偏光板、２０  透明基板、２１  偏光軸、２２  タッチパネル、２３  フレキシブルプリント基板、２４  コントローラ基板、２５  検出処理回路、２６  外部接続端子、２７  タッチスクリーン、２８  カラーフィルター基板、２９  タッチスクリーン、３０  偏光板。
【図１】
0006494287.tif 000002
【図２】
0006494287.tif 000003
【図３】
0006494287.tif 000004
【図４】
0006494287.tif 000005
【図５】
0006494287.tif 000006
【図６】
0006494287.tif 000007
【図７】
0006494287.tif 000008
【図８】
0006494287.tif 000009
【図９】
0006494287.tif 000010
【図１０】
0006494287.tif 000011
【図１１】
0006494287.tif 000012
【図１２】
0006494287.tif 000013
【図１３】
0006494287.tif 000014
【図１４】
0006494287.tif 000015
【図１５】
0006494287.tif 000016
【図１６】
0006494287.tif 000017
【図１７】
0006494287.tif 000018
【図１８】
0006494287.tif 000019
【図１９】
0006494287.tif 000020
【図２０】
0006494287.tif 000021
【図２１】
0006494287.tif 000022
【図２２】
0006494287.tif 000023
【図２３】
0006494287.tif 000024
【図２４】
0006494287.tif 000025
【図２５】
0006494287.tif 000026
【図２６】
0006494287.tif 000027